(57)【要約】      （修正有）【課題】携帯型再生装置の操作性の向上、携帯型再生装置本体サイズの小型化を実現する。【解決手段】電源がＯＦＦ状態の場合、あるいは、携帯型再生装置１００本体の筐体がユーザの指によって把持されていないことが指位置検出センサ１３によって検知されている限り、携帯型再生装置１００本体の筐体内に操作部１１を収納し、一方、ユーザが指で携帯型再生装置１００本体の筐体を把持したことが指位置検出センサ１３によって検知された場合に、ＣＰＵ１０Ａの制御によって、モータドライバ１５を介してモータ１６を駆動して、ユーザが指で把持した筐体の部位とは逆方向の筐体外に操作部１１を突出させ、操作部１１の操作面の操作が可能な状態にする。ここで、ＣＰＵ１０Ａは、操作部１１が筐体外に突出して、操作部位置検出スイッチＳＷ１，ＳＷ２がＯＮ状態になった時点で、モータ１６の駆動を停止する。【選択図】図１
2009070453.tif 000002
【特許請求の範囲】
【請求項１】
ユーザが操作するための操作部を少なくとも備えた、携帯性を有する携帯型再生装置において、当該携帯型再生装置本体の筐体内に前記操作部を収納可能とし、ユーザが指で当該携帯型再生装置本体の筐体を把持した場合に、ユーザが指で把持した筐体の部位とは逆方向の筐体外に前記操作部を突出させることを特徴とする携帯型再生装置。
【請求項２】
ユーザが指で当該携帯型再生装置本体の筐体を把持していない場合には、前記操作部を当該携帯型再生装置本体の筐体内に収納することを特徴とする請求項１に記載の携帯型再生装置。
【請求項３】
当該携帯型再生装置本体の筐体がユーザの指で把持されているか否か、および、把持されている場合に、把持されている当該携帯型再生装置本体の筐体の部位を検知する指位置検出センサを備え、該指位置検出センサが、当該携帯型再生装置本体の筐体の上下左右の側部のいずれを、ユーザの指で把持されているかを検出することを特徴とする請求項１または２に記載の携帯型再生装置。
【請求項４】
当該携帯型再生装置本体の筐体内に収納されている前記操作部を筐体外に突出させる際の前記操作部のスライド動作を行わせるモータを備えており、当該携帯型再生装置本体の筐体が把持されたことを検知した際に、前記モータを駆動して、把持された筐体の部位とは逆方向に前記操作部をスライドさせることを特徴とする請求項１ないし３のいずれかに記載の携帯型再生装置。
【請求項５】
当該携帯型再生装置本体の筐体内の上下左右いずれか１ないし複数の側部付近にあって、かつ、前記操作部の表面近傍に配置された光電変換型の操作部位置検出スイッチを備え、さらに、前記操作部の上下左右いずれか１ないし複数の端部に発光ダイオードあるいは光反射膜を備え、前記操作部が前記モータの駆動によりスライドして、前記操作部位置検出スイッチが、前記操作部の端部に設けられた前記発光ダイオードからの光あるいは前記光反射膜によって反射された反射光に感応してＯＮ状態に切り替わった際に、前記モータの駆動を停止して、前記操作部のスライド動作を停止させることを特徴とする請求項４に記載の携帯型再生装置。
【請求項６】
前記操作部が、当該携帯型再生装置本体の筐体外に突出して停止した際に、前記操作部の一部が当該筐体と嵌合して固定されるロック機構を備えていることを特徴とする請求項１ないし５のいずれかに記載の携帯型再生装置。
【発明の詳細な説明】
【技術分野】
【０００１】
本発明は、携帯型再生装置に関し、特に、操作部を不使用時には筐体内に収納可能な携帯型再生装置に関する。
【背景技術】
【０００２】
従来の携帯型再生装置（例えばデジタル・オーディオ／ビデオ・プレーヤ）の場合、特許文献１の特開２００４−１４５３８８号公報「携帯再生装置、コンテンツ選択画面表示方法および受信システム」にも記載されているように、操作部１１Ａと表示部１２Ａとが本体の筐体と一体構造になって構成されている場合が多い。かくのごとき携帯型再生装置においては、音楽を聴いたり、設定項目を入力したりする場合には、図９（Ａ）に示すように、ユーザは、携帯型再生装置を縦方向（Ｙ方向）に向くように、つまり、表示内容を確認しながら操作し易い方向として、操作部１１Ａが下方向、表示部１２Ａが上方向になるように、把持し、一方、映像を視聴する場合には、図９（Ｂ）に示すように、横方向（Ｘ方向）に向くように、つまり、操作部１１Ａが操作し易い方向の右手側に、表示部１２Ａが左手側になるように、把持して、楽しむものが多い。図９は、従来の携帯型再生装置の使用形態を説明するための模式図である。
【０００３】
ここで、図９のように、従来の携帯型再生装置は、多くの場合、ユーザの利便性を考慮して、左手で携帯型再生装置本体を把持し、右手で操作部１１Ａの操作を行うように、操作部１１Ａの位置が配置されている。
【０００４】
つまり、ユーザは、携帯型再生装置の種々の使用目的に応じて、携帯型再生装置本体を縦方向や横方向に回転させて使用することになる。
【特許文献１】特開２００４−１４５３８８号公報（第７−８頁）
【発明の開示】
【発明が解決しようとする課題】
【０００５】
しかしながら、図９に示すような操作部１１Ａと表示部１２Ａとが本体と一体型の構造からなる従来の携帯型再生装置の場合、携帯型再生装置本体上に表示部１２Ａとともに操作部１１Ａが配置されていると、使用状況の如何によっては、非常に操作し難くなる場合がある。また、携帯型再生装置本体上に表示部１２Ａとともに操作部１１Ａが配置されていると、表示部１２Ａの表示画面サイズ以外に、さらに、ユーザの指で操作が行われるキーやボタンなどが配置された比較的大面積の操作部１１Ａ分だけ、当然のことながら、携帯型再生装置本体の表面積のサイズが大きくなるという問題もある。
【０００６】
また、ユーザの指が携帯型再生装置本体を把持していない状況にある場合は、音楽や映像を楽しんでいる最中の状態などのように、基本的には、操作部１１Ａを操作しない場合が多いので、図９のように、携帯型再生装置本体上の常に触れることが可能な位置（つまり操作可能な位置）に、操作部１１Ａが配置されていると、例えば、携帯型再生装置本体をポケット内に収納して音楽や映像を楽しんでいて、ユーザが意識的に操作をしない場合であっても、操作部１１Ａが誤って操作されてしまって、楽しんで視聴していた音楽や映像が途切れてしまうといった誤操作が生じ易いという問題も発生する。
【０００７】
本発明は、かかる事情に鑑みてなされたものであり、携帯型再生装置の操作性の向上、携帯型再生装置本体サイズの小型化を実現可能な携帯型再生装置を提供することを、その目的としている。
【課題を解決するための手段】
【０００８】
前述の課題を解決するため、本発明による携帯型再生装置は、次のような特徴的な構成を採用している。
【０００９】
（１）ユーザが操作するための操作部を少なくとも備えた、携帯性を有する携帯型再生装置において、当該携帯型再生装置本体の筐体内に前記操作部を収納可能とし、ユーザが指で当該携帯型再生装置本体の筐体を把持した場合に、ユーザが指で把持した筐体の部位とは逆方向の筐体外に前記操作部を突出させる携帯型再生装置。
（２）ユーザが指で当該携帯型再生装置本体の筐体を把持していない場合には、前記操作部を当該携帯型再生装置本体の筐体内に収納する上記（１）の携帯型再生装置。
（３）当該携帯型再生装置本体の筐体がユーザの指で把持されているか否か、および、把持されている場合に、把持されている当該携帯型再生装置本体の筐体の部位を検知する指位置検出センサを備え、該指位置検出センサが、当該携帯型再生装置本体の筐体の上下左右の側部のいずれを、ユーザの指で把持されているかを検出する上記（１）または（２）の携帯型再生装置。
（４）当該携帯型再生装置本体の筐体内に収納されている前記操作部を筐体外に突出させる際の前記操作部のスライド動作を行わせるモータを備えており、当該携帯型再生装置本体の筐体が把持されたことを検知した際に、前記モータを駆動して、把持された筐体の部位とは逆方向に前記操作部をスライドさせる上記（１）ないし（３）のいずれかの携帯型再生装置。
（５）当該携帯型再生装置本体の筐体内の上下左右いずれか１ないし複数の側部付近にあって、かつ、前記操作部の表面近傍に配置された光電変換型の操作部位置検出スイッチを備え、さらに、前記操作部の上下左右いずれか１ないし複数の端部に発光ダイオードあるいは光反射膜を備え、前記操作部が前記モータの駆動によりスライドして、前記操作部位置検出スイッチが、前記操作部の端部に設けられた前記発光ダイオードからの光あるいは前記光反射膜によって反射された反射光に感応してＯＮ状態に切り替わった際に、前記モータの駆動を停止して、前記操作部のスライド動作を停止させる上記（４）の携帯型再生装置。
（６）前記操作部が、当該携帯型再生装置本体の筐体外に突出して停止した際に、前記操作部の一部が当該筐体と嵌合して固定されるロック機構を備えている上記（１）ないし（５）のいずれかの携帯型再生装置。
【発明の効果】
【００１０】
本発明の携帯型再生装置によれば、以下のような効果を得ることができる。
【００１１】
第一に、ユーザが何らかの操作を行うために、携帯型再生装置本体の筐体を把持した際に、携帯型再生装置本体の筐体を把持した部位とは逆側の方向に、操作部が突出するので、ユーザは、携帯型再生装置本体を回転することなく、左右いずれの手でも、操作部を操作することが可能となる。
【００１２】
第二に、携帯型再生装置本体の筐体を把持していない場合や、電源がＯＦＦ状態の場合や、情報を再生して視聴中の場合などにおいては、操作部が携帯型再生装置本体の筐体内に収納されるので、携帯型再生装置としてコンパクトなサイズになり、かつ、携帯型再生装置に対して表示部の表示部分の占有面積を大きくすることができ、もって、ユーザの視認性を向上させることができる。
【００１３】
第三に、操作を行わない時つまり携帯型再生装置本体を把持していない時は、操作部が携帯型再生装置本体の筐体内に収納されるため、携帯型再生装置本体をポケットの中にしまっている場合などのような、ユーザが操作部の操作をしようとしない場合に、誤って操作してしまうといった誤操作を確実に防止することができる。
【発明を実施するための最良の形態】
【００１４】
以下、本発明による携帯型再生装置の好適な実施例について添付図を参照して説明する。
【００１５】
（本発明の特徴）
本発明の実施例の説明に先立って、本発明の特徴について、その概要をまず説明する。本発明は、携帯型再生装置本体内に操作部を収納可能とする構造とするとともに、携帯型再生装置本体をユーザが指で把持しているか否かを検知するセンサを設け、ユーザが指で把持していることを検知した際に、携帯型再生装置本体を把持しているユーザの指とは、逆側の方向に、筐体内に収納されていた操作部を筐体外に突出する仕組みを備えている点に特徴を有している。
【００１６】
さらには、ユーザが指で携帯型再生装置本体を把持していないことを検知した場合（つまり、使用していない場合や再生して視聴中の状態にあるなど、操作部を操作することがない場合）には、操作部が携帯型再生装置本体内に収納される点に特徴を有している。また、携帯型再生装置本体の電源を切った場合には、操作部が携帯型再生装置本体内に収納される点に特徴を有している。
【００１７】
（実施例の構成）
図１に、本発明に係る携帯型再生装置のブロック構成の一例を示している。図１に示すように、本発明に係る携帯型再生装置の一例を示す携帯型再生装置１００は、コアモジュール１０、操作部１１、表示部１２の他に、指位置検出センサ１３、操作部位置検出スイッチＳＷ１  １４ａ，ＳＷ２  １４ｂ、モータドライバ１５、モータ１６を少なくとも備えている。また、コアモジュール１０は、ＣＰＵ１０Ａ、ＳＤＲＡＭ１０Ｂ、記憶媒体１０Ｃを少なくとも備えて構成されており、携帯型再生装置１００の制御部を形成している。
【００１８】
ここで、ＣＰＵ１０Ａは、プログラムを格納するＰｒｏｇｒａｍ  ＲＯＭおよび操作部１１や指位置検出センサ１３などからのアナログ情報をデジタル変換するＡ／Ｄ変換部を備え、携帯型再生装置１００の各部の動作を制御するものであり、ＳＤＲＡＭ１０Ｂは、図示していないデータベースや記憶媒体１０Ｃからのデータや、操作部１１や指位置検出センサ１３からのデジタル変換後のデータや、モータドライバ１５や操作部位置検出スイッチＳＷ１  １４ａ，ＳＷ２  １４ｂの状態情報を一時的に格納するメモリである。記憶媒体１０Ｃは、各種のデータを処理するホスト機器と携帯型再生装置１００との間でデータを転送し合うための着脱自在なメモリであり、外付け型ＨＤＤ（ハードディスクドライブ）、ＦＬＡＳＨ−ＲＯＭ（フラッシュメモリ）、ＳＤ（Ｓｅｃｕｒｅ  Ｄｉｇｉｔａｌ）カード／ＭＭＣ（ＭｕｌｔｉＭｅｄｉａ  Ｃａｒｄ）などを用いて構成されている。
【００１９】
なお、ホスト機器との間でデータを直接転送し合う場合に備えて、記憶媒体１０Ｃを介してのみでなく、ホスト機器との間で直接データ転送を行うことが可能なＵＳＢケーブル接続を行うＵＳＢ接続部を、コアモジュール１０内に含んで構成するようにしても良い。
【００２０】
操作部１１は、ユーザが携帯型再生装置１００に対する操作情報を入力する部位であり、入力された操作情報は、ＣＰＵ１０Ａに通知される。表示部１２は、携帯型再生装置１００内に保存されたデータをユーザに対して画面表示する部位であり、ＣＰＵ１０Ａから転送されるデータ情報を表示する。
【００２１】
また、指位置検出センサ１３は、携帯型再生装置１００本体の筐体をユーザが指で把持した際に、携帯型再生装置１００の筐体上の指位置を検知して、ＣＰＵ１０Ａに通報する部位である。操作部位置検出スイッチＳＷ１  １４ａ，ＳＷ２  １４ｂは、操作部１１の所在位置（駆動停止位置）を検知するための部位であり、検知した操作部１１の所在位置（駆動停止位置）をＣＰＵ１０Ａに通知する。
【００２２】
また、モータドライバ１５は、ＣＰＵ１０Ａからの制御信号による指示に応じてモータ１６を駆動する駆動信号を出力するための部位であり、モータ１６は、モータドライバ１５からの駆動信号に基づいて駆動されて、回転軸の回転に応じて操作部１１を所定の位置までスライド移動させる部位である。
【００２３】
次に、図１に示した携帯型再生装置１００の筐体内の配置イメージの一例について、図２に示す。図２の模式図には、携帯型再生装置１００本体の筐体内の各部位の配置位置を模式的に示している。図２に示すように、コアモジュール１０は、筐体内の上部に配置され、モータドライバ１５、モータ１６は、筐体内の中央部に配置され、モータ１６の回転軸は例えば操作部１１の上部に設けられたアクチュエータ（鋸歯形状の山）と歯車などを介して連接されている。また、指位置検出センサ１３は、筐体の４隅の角部にそれぞれ配置され、当該携帯型再生装置１００の筐体を把持した際の指の位置を検知するセンサ部が、筐体外部に貼付されていて、ユーザの指が４隅のいずれかに触れてあらかじめ定めた一定圧力以上の押圧が加わったことによって、携帯型再生装置１００本体が把持されたことを検知し、かつ、把持された部位を検知可能としている。
【００２４】
操作部１１は、前述のように、当該操作部１１の上部に設けられた鋸歯形状のアクチュエータがモータ１６の回転軸に例えば歯車などを介して連接されており、携帯型再生装置１００の未使用時や再生中の状態では、モータ１６の回転動作によって、筐体内の下側にある空間部に収納され、ユーザの指が４隅のうち左右いずれかの側の部位にあらかじめ定めた一定圧力以上の押圧で触れられたことが検知された場合には、モータ１６の回転動作によって、ユーザの指で把持された部位とは逆方向の側面側に、スライド移動して、筐体外に突出する状態にされる。
【００２５】
操作部位置検出スイッチＳＷ１  １４ａ，ＳＷ２  １４ｂは、操作部１１の上部（もしくは下部）の表面に近接し、かつ、携帯型再生装置１００の側面付近の左右２箇所の位置に配置されており、操作部１１が左右方向にスライド移動した際に、操作部１１の右または左側の端部近傍に設けられている突起部に接触して、接点をＯＦＦからＯＮ状態に切り替える機械接点を有するスイッチであり、操作部１１が筐体からほぼ完全に突出したことを検知して、モータ１６の駆動を停止させることを可能としている。
【００２６】
なお、ユーザが携帯型再生装置１００本体の筐体の上部を把持した場合には、操作部１１を筐体下側方向にスライド移動させて、下側に突出させ、また、筐体の下部を把持した場合には、操作部１１を筐体上側方向にスライド移動させて、上側に突出させることも可能とするために、モータ１６を例えば２軸型として形成するようにしても良いし、あるいは、上下方向に回転するモータを別途設けるようにしても良く、かかる場合には、操作部位置検出スイッチＳＷ１  １４ａ，ＳＷ２  １４ｂは、図２のような操作部１１表面の上部（または下部）で、かつ、携帯型再生装置１００筐体の左右端部近傍の２箇所のみではなく、操作部１１表面の左部（または右部）で、かつ、携帯型再生装置１００筐体の上下端部近傍の２箇所にも配置する構成とする。
【００２７】
また、指位置検出センサ１３は、前述のような押圧を検知する圧力センサによって構成する場合のみに限るものではなく、例えば、人の体温を感知するサーモセンサなどを用いて構成しても良い。かくのごとき指位置検出センサ１３を用いることにより、ＣＰＵ１０Ａは、ユーザが携帯型再生装置１００本体の筐体の左右いずれの側部を把持したか、または、上下いずれの側部を把持したかを判別することができ、把持された部位とは逆側に操作部１１をスライド移動させるように、モータドライバ１５の駆動信号を制御して、モータ１６を回転させることが可能となる。なお、指位置検出センサ１３を四隅ではなく、各側面の中央に配置しても良い。
【００２８】
以上の操作部１１のスライド移動に関する制御動作について、次に、図３のフローチャートを用いて説明する。図３は、図１に示す携帯型再生装置１００の操作部１１のスライド動作を説明するためのフローチャートである。図３において、まず、指位置検出センサ１３により、ユーザが携帯型再生装置１００の筐体を把持したか否かを監視する（ステップＳ１）。
【００２９】
指位置検出センサ１３が、センサ入力信号を検出して、携帯型再生装置１００の筐体をユーザの指が把持したことを検知すると（ステップＳ２のＹｅｓ）、ユーザの指が把持している筐体の部位を判別して、把持された筐体の部位とは逆側に操作部１１をスライド移動させるような制御信号を、モータドライバ１５に与えることにより、モータドライバ１５にて、操作部１１をスライド移動させるための回転動作を指示する駆動信号を生成させて、モータ１６に対する駆動信号として出力させる（ステップＳ３）。
【００３０】
この結果、操作部１１は、把持された筐体の部位とは逆側にスライド移動して、筐体から突出してくるようになる。次に、操作部１１の停止監視用のスイッチである操作部位置検出スイッチＳＷ１  １４ａ，ＳＷ２  １４ｂの入力信号がＯＮになったか否かを監視する（ステップＳ４）。筐体内の側面近傍の適当な位置に配置されている操作部位置検出スイッチＳＷ１  １４ａ，ＳＷ２  １４ｂは、操作部１１の端部に設けられた突起部との接触の有無による接点のＯＮ／ＯＦＦ状態を用いて、操作部１１のスライド移動の量を監視しており、操作部位置検出スイッチＳＷ１  １４ａ，ＳＷ２  １４ｂのいずれかが、操作部１１の前記突起部に接触して、ＯＮ状態に切り替わると（ステップＳ５のＹｅｓ）、操作部１１が、ほぼ完全に筐体外に突出した状態にあることが識別される。操作部１１がほぼ完全に筐体外に突出して停止位置に近づいたことを検知すると、ＣＰＵ１０Ａからの制御により、モータドライバ１５は、モータ１６の回転動作を停止させるためのブレーキ信号を出力する（ステップＳ６）。この結果、操作部１１は、完全に操作面が筐体外に突出した状態（所定の停止位置）で、スライド移動が停止することによって、ユーザは、筐体を把持していないもう一方の手で、操作部１１の操作面を操作することが可能な状態になる（ステップＳ７）。
【００３１】
次に、携帯型再生装置１００の操作部１１を操作するために、ユーザが携帯型再生装置１００本体の筐体を指で把持している状態と、操作部１１を操作しない状況にあって、ユーザが携帯型再生装置１００本体の筐体を把持していない状態とを、図４ないし図６を用いてさらに説明する。図４は、ユーザが携帯型再生装置１００本体の筐体を把持していない状態を模式的に示す模式図であり、図２に示した斜視図とほぼ同様の模式図である。
【００３２】
また、図５は、ユーザが携帯型再生装置１００本体の筐体の左側の部位を把持した状態を模式的に示す模式図であり、操作部１１が筐体の右側に突出している様子を示している。また、図６は、ユーザが携帯型再生装置１００本体の筐体の右側の部位を把持した状態を模式的に示す模式図であり、操作部１１が筐体の左側に突出している様子を示している。
【００３３】
図４に示すように、ユーザが操作部１１を操作する必要がない状態（例えば、電源がＯＦＦの状態、あるいは、携帯型再生装置１００を使用していない状態、あるいは、携帯型再生装置１００のデータを再生して視聴中の状態など）にあって、携帯型再生装置１００本体の筐体が指で把持されていない場合には、操作部１１は、携帯型再生装置１００本体の筐体内に収納されており、誤って、操作部１１を操作してしまうことはない。
【００３４】
一方、図５または図６のように、ユーザが操作部１１を操作しようとして、携帯型再生装置１００を手にして、携帯型再生装置１００本体の筐体の左側または右側のいずれかの部位がユーザの指２０で把持されたと判断された場合には、ユーザによって把持された部位とは反対側の方向（例えば、図５のように、ユーザが筐体の左側の部位を指２０で把持した場合には、筐体の右側方向、また、図６のように、ユーザが筐体の右側の部位を指２０で把持した場合には、筐体の左側方向）の携帯型再生装置１００本体の筐体外へ、内部に収納されていた操作部１１をスライド移動させて突出させる。
【００３５】
次に、携帯型再生装置１００本体の筐体をユーザが把持したか否かに応じて、操作部１１のスライド動作を制御する仕組みについて、図１の携帯型再生装置１００のブロック構成図を参照しながら図７を用いて説明する。図７は、図１の携帯型再生装置１００の指位置検出センサ１３の検出結果に基づいて、操作部１１のスライド移動を行わせるためにモータ１６を駆動する駆動信号の出力動作を説明するための説明図である。図７（Ａ）は、操作部１１が左側方向に移動して、操作部１１の表面の右側端部に突出する形で配置されている突起部１１Ｔに、筐体内の左側近傍に配置された操作部位置検出スイッチＳＷ１  １４ａが接触して、操作部位置検出スイッチＳＷ１  １４ａがＯＮ状態になっている場合を模式的に示している。
【００３６】
なお、図７（Ａ）には、破線によって、操作部位置検出スイッチＳＷ１  １４ａがまだ突起部１１Ｔに接触していなく、操作部位置検出スイッチＳＷ１  １４ａがＯＦＦ状態、つまり、操作部１１の左側方向へのスライド移動を継続している途中の状態についても示している。また、突起部１１Ｔについては、図７（Ａ）には、操作部１１の表面の右側端部のみを示しているが、操作部１１が右側方向にスライド移動する場合に備えて、操作部１１の表面の左側端部にも突出する形で配置されている。
【００３７】
図７（Ｂ）は、ＣＰＵ１０Ａがモータドライバ１５に対してモータ１６を駆動するための制御信号を出力している状態において、ＣＰＵ１０Ａが操作部位置検出スイッチＳＷ１  １４ａのＯＮ、ＯＦＦ状態をモニタした結果として取得したモニタ電圧の変化と、該モニタ電圧の変化に応じてモータ１６を停止させるためのブレーキパルス信号を出力するまでのモータ１６の駆動電圧の変化を示している。図７（Ｂ）に示すように、ＣＰＵ１０Ａからモータドライバ１５に対して制御信号を出力開始してから時刻Ｔ１に達すると、左側方向に移動している操作部１１の右側端部に突出して配置された突起部１１Ｔに操作部位置検出スイッチＳＷ１  １４ａが接触してＯＮ状態に切り替わり、時刻Ｔ２に達すると、突起部１１Ｔと操作部位置検出スイッチＳＷ１  １４ａとの接触によるＯＮ状態から脱してＯＦＦ状態に復帰する。
【００３８】
つまり、ＣＰＵ１０Ａは、操作部位置検出スイッチＳＷ１  １４ａがＯＮ状態に切り替わった時刻Ｔ１のタイミングで、操作部１１が、筐体左側にほぼ完全に突出して、ユーザが操作可能な状態に近づいたものと判断して、モータ１６の回転を停止させるためのブレーキパルス信号を出力するようにモータドライバ１５に対する制御信号を出力し、該制御信号を受け取ったモータドライバ１５は、ブレーキパルス信号を生成してモータ１６に対して出力して、モータ１６の回転動作を停止させる。
【００３９】
以下に、図７に示す制御動作についてさらに説明する。図１のＣＰＵ１０Ａは、携帯型再生装置１００の電源が投入されて動作中の状態にある限り、ソフトウェアによる割り込み処理や監視ループ処理を使用して、常に、ユーザの指２０による携帯型再生装置１００の筐体の把持位置を検出するために、筐体の４隅に配置されている指位置検出センサ１３の出力信号を監視し続けている。
【００４０】
例えば、図６に示すように、携帯型再生装置１００本体の筐体の右側の部位が把持されたことを指位置検出センサ１３にて検出された旨の通知を受け取ると、ＣＰＵ１０Ａは、モータドライバ１５に対して、把持された部位とは反対側の筐体の左側方向へ操作部１１をスライド移動させるような制御信号を出力し、該制御信号を受け取ったモータドライバ１５は、操作部１１を筐体の左側方向へスライド移動させる駆動信号をモータ１６に対して出力することによって、モータ１６を駆動する。
【００４１】
該駆動信号により、モータ１６が駆動されることによって、通常、携帯型再生装置１００本体の筐体内に収納されている操作部１１が、モータ１６の回転軸の回転方向に応じて、この場合は、筐体の左側方向に、図７（Ａ）に示すように、スライド移動する。ここで、該駆動信号は、図７（Ｂ）のように、時刻Ｔ１において、操作部１１の左右の端部に設けられている突起部１１Ｔのいずれかに操作部位置検出スイッチＳＷ１  １４ａ，ＳＷ２  １４ｂが接触して、操作部位置検出スイッチＳＷ１  １４ａ，ＳＷ２  １４ｂがＯＦＦ状態からＯＮ状態に切り替わったことが検出されるまで出力され続け、その結果、モータ１６に対して駆動電圧が印加され続ける。
【００４２】
一方、ＣＰＵ１０Ａは、モータドライバ１５に対してモータ１６を回転させるための制御信号を出力している間、操作部位置検出スイッチＳＷ１  １４ａ，ＳＷ２  １４ｂのＯＮ，ＯＦＦ状態を監視し続けている。操作部位置検出スイッチＳＷ１  １４ａ，ＳＷ２  １４ｂのいずれか、操作部１１が左側方向にスライド移動している本実施例の場合には、前述のように、筐体左側近傍に配置された操作部位置検出スイッチＳＷ１  １４ａが、図７（Ａ）のように、時刻Ｔ１において、操作部１１の右側端部に突出して設けられている突起部１１Ｔに接触して、ＯＦＦからＯＮ状態に切り替わったことを、ＣＰＵ１０Ａが検出すると、ＣＰＵ１０Ａは、モータ１６の回転動作を停止させるための制御信号をモータドライバ１５に対して出力する。該制御信号を受け取ったモータドライバ１５は、図７（Ｂ）のように、モータ１６の回転を停止するためのブレーキパルス信号（逆起信号）を生成して、モータ１６に対して出力する。この結果、モータ１６は、時刻Ｔ２において回転動作が停止して、操作部１１のスライド移動が停止することになる。
【００４３】
かかる状態においては、図６に示すように、操作部１１は携帯型再生装置１００本体の筐体の左側外部に突出した状態になって停止しており、ユーザは、携帯型再生装置１００本体を把持していないもう一方の手で、操作部１１の操作面を操作することが可能となる。
【００４４】
一方、携帯型再生装置１００本体の筐体の外部に操作部１１が突出した状態から、携帯型再生装置１００本体の筐体内に収納された状態に移行する条件としては、例えば、ユーザが把持している指位置を検出する指位置検出センサ１３からの出力信号として、把持していることがあらかじめ定めた一定時間検出されなかった場合（つまり、把持していない状態が該一定時間に亘って検出された場合）、または、携帯型再生装置１００の電源がＯＦＦ状態に切り替わった場合、または、携帯型再生装置１００本体の筐体表面に、新たに収納ボタンを配置して、該収納ボタンが押下された場合などのいずれか、１ないし複数を設定すれば良い。
【００４５】
なお、図７に示したように、本実施例においては、操作部位置検出スイッチＳＷ１  １４ａ，ＳＷ２  １４ｂとして、操作部１１に設けられた突起部１１Ｔと接触することによってＯＮ状態に切り替わる機械接点型のスイッチを用いている場合について説明したが、かかる場合に限るものではなく、例えば、操作部１１の左右の端部近傍に、突起部１１Ｔに代えて、発光ダイオードや光反射膜などを備えるようにして、操作部１１の発光ダイオードからの光、あるいは、操作部位置検出スイッチＳＷ１  １４ａ，ＳＷ２  １４ｂ側の方向から放射された光が操作部１１の光反射膜によって反射された反射光、を検知することによって、ＯＮ状態に切り替わる光電変換型のフォトスイッチを用いるようにしても良い。
【００４６】
また、操作部１１の停止位置を検知する前述のような仕組みは、操作部１１が筐体外に突出する際の停止位置を検知する場合のみならず、操作部１１を筐体内に収納した際の停止位置を検知し、操作部１１のさらなるスライド移動を抑止する仕組みとしても用いられるものである。つまり、操作部１１の上下左右いずれか１ないし複数の端部に突起部あるいは発光ダイオードや光反射膜を備え、操作部位置検出スイッチＳＷ１  １４ａ，ＳＷ２  １４ｂにより、筐体外においてあるいは筐体内において停止すべき位置を検知可能としている。
【００４７】
また、モータ１６として、前述の例では、モータドライバ１５からの駆動信号として印加された直流の駆動電圧により回転駆動される直流モータの場合を示したが、交流モータであっても良いし、あるいは、駆動信号としてＰＷＭ信号を用いたステップモータによって構成するようにしても良い。ここで、ステップモータを用いて構成する場合には、モータ１６の回転量つまり操作部１１のスライド移動量を、ＰＷＭ信号のパルス幅により制御することが可能であり、かかる場合には、前述のような操作部１１の停止位置を検知する仕組みとして、ＰＷＭ信号のパルス幅を制御するのみで良く、操作部位置検出スイッチＳＷ１  １４ａ，ＳＷ２  １４ｂや、操作部１１の突起部１１Ｔや発光ダイオードのような部品を用いない形で構成することも可能となる。
【００４８】
なお、操作部１１が筐体外に突出して停止し操作が可能な状態になった場合、安定した停止状態を実現するためのロック機構を、操作部１１と筐体との間に備えるように、例えば、筐体内にラッチ部を設けて、外部にスライド移動中の操作部１１の一部が筐体内に設けたラッチ部に嵌合して移動が停止すると同時に、固定される機構とし、一方、筐体外からスライド移動させて筐体内に収納しようとする場合には、筐体内に設けた該ラッチ部が嵌合状態をまず解除して、操作部１１を移動可能な状態にし、しかる後、モータ１６の回転動作により、操作部１１が筐体内にスライドバックしていくような機構を、備えるようにしても良い。
【００４９】
また、操作部１１のスライド移動をスムーズに行うために、操作部１１の移動方向に沿ってガイドレールが筐体内に設けられていても良い。また、操作部１１が、モータ１６の回転によりスライド移動する機構として、前述のように、歯車を用いるようにしても良いし、あるいは、モータ１６の回転盤と操作部１１との間を連結する腕木を用いるようにしても良い。
【００５０】
（実施例の効果）
次に、本実施例の効果について説明する。第一に、ユーザが何らかの操作を行うために、携帯型再生装置１００本体の筐体を把持した際に、携帯型再生装置１００本体の筐体を把持した部位とは逆側の方向に、操作部１１が突出するので、ユーザは、携帯型再生装置１００本体を回転することなく、左右いずれの手でも、操作部１１を操作することが可能となる。
【００５１】
第二に、携帯型再生装置１００本体の筐体を把持していない場合や、電源がＯＦＦ状態の場合や、情報を再生して視聴中の場合などにおいては、操作部１１が携帯型再生装置１００本体の筐体内に収納されるので、携帯型再生装置１００としてコンパクトなサイズになり、かつ、携帯型再生装置１００に対して表示部１２の表示部分の占有面積を大きくすることができ、もって、ユーザの視認性を向上させることができる。
【００５２】
第三に、操作を行わない時つまり携帯型再生装置１００本体を把持していない時は、操作部１１が携帯型再生装置１００本体の筐体内に収納されるため、携帯型再生装置１００本体をポケットの中にしまっている場合などのような、ユーザが操作部１１の操作しようとしない場合に、誤って操作してしまうといった誤操作を確実に防止することができる。
【００５３】
（他の実施例）
前述の実施例においては、携帯型再生装置１００本体の筐体の左側または右側の部位をユーザの指で把持している場合について説明したが、本発明はかかる場合のみに限るものではない。例えば、携帯型再生装置１００本体の上側または下側の部位をユーザが把持した場合であっても、対応することが可能である。
【００５４】
つまり、携帯型再生装置１００本体の上側の部位をユーザが把持した場合、図１の指位置検出センサ１３では、上側の左右のセンサにて、把持した指位置を検出するので、かかる場合には、操作部１１を把持された部位とは反対側となる携帯型再生装置１００本体の筐体の下側方向に操作部１１をスライド移動させれば良い。また、携帯型再生装置１００本体の下側の部位をユーザが把持した場合、図１の指位置検出センサ１３では、下側の左右のセンサにて、把持した指位置を検出するので、かかる場合には、操作部１１を把持された部位とは反対側となる携帯型再生装置１００本体の筐体の上側方向に操作部１１をスライド移動させれば良い。図８は、ユーザが携帯型再生装置１００本体の筐体の上側を把持した状態を模式的に示す模式図であり、操作部１１が筐体下側に突出した状態を例示している。
【００５５】
なお、かくのごとく、携帯型再生装置１００本体の筐体の上下左右いずれの部位をユーザが把持した場合であっても、把持された部位の反対側方向に操作部１１をスライド移動させて、携帯型再生装置１００本体の筐体外部に突出させることを可能とするために、モータ１６として直交性を有する２軸型のモータ、あるいは、回転方向が直交する２つのモータを備えて、ＣＰＵ１０Ａからは、指位置検出センサ１３の検出結果に応じて、上下左右の２次元の方向性を有する制御信号を、すなわち、ユーザの指で把持された部位とは反対側の方向へのスライド移動を指示する制御信号を、モータドライバ１５に対して出力するようにすれば良い。
【００５６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００５７】
【図１】本発明に係る携帯型再生装置のブロック構成の一例を示すブロック構成図である。
【図２】図１に示した携帯型再生装置の筐体内の配置イメージの一例を示す模式図である。
【図３】図１に示す携帯型再生装置の操作部のスライド動作を説明するためのフローチャートである。
【図４】ユーザが携帯型再生装置本体の筐体を把持していない状態を模式的に示す模式図である。
【図５】ユーザが携帯型再生装置本体の筐体の左側を把持した状態を模式的に示す模式図である。
【図６】ユーザが携帯型再生装置本体の筐体の右側を把持した状態を模式的に示す模式図である。
【図７】図１の携帯型再生装置の指位置検出センサの検出結果に基づいて、モータを駆動する駆動信号の出力動作を説明するための説明図である。
【図８】ユーザが携帯型再生装置本体の筐体の上側を把持した状態を模式的に示す模式図である。
【図９】従来の携帯型再生装置の使用形態を説明するための模式図である。
【符号の説明】
【００５８】
１０      コアモジュール
１０Ａ    ＣＰＵ
１０Ｂ    ＳＤＲＡＭ
１０Ｃ    記憶媒体
１１      操作部
１１Ａ    操作部
１１Ｔ    突起部
１２      表示部
１２Ａ    表示部
１３      指位置検出センサ
１４ａ    操作部位置検出スイッチＳＷ１
１４ｂ    操作部位置検出スイッチＳＷ２
１５      モータドライバ
１６      モータ
２０      ユーザの指
１００    携帯型再生装置
【図１】
2009070453.tif 000003
【図２】
2009070453.tif 000004
【図３】
2009070453.tif 000005
【図４】
2009070453.tif 000006
【図５】
2009070453.tif 000007
【図６】
2009070453.tif 000008
【図７】
2009070453.tif 000009
【図８】
2009070453.tif 000010
【図９】
2009070453.tif 000011